(57)【要約】【課題】ランプユニットに保持された状態で破損したランプを交換する場合に、ガラス片等が零れ落ちることを確実に防止した投写型表示装置と、そのためのランプ交換用工具を提供する。【解決手段】ランプ交換用工具１９を取り付け、図の矢示Ａ方向に進むように溝１８１内にランプユニット固定ツメ解除用リブ２２を挿入すると、溝１８１の底面でもあるランプユニット固定ツメ１８の固定ツメ平面１８ａに沿って進む。ランプユニット固定ツメ解除用リブ２２がランプユニット固定ツメ１８の固定ツメ斜面１８ｂに達すると、図の矢示Ｂ方向にランプユニット固定ツメ１８を押し上げて、ランプユニット固定ツメ１８によるランプユニット本体４ａの係止が解除される。係止が解除されるとランプユニット４が袋２５の中に落下してくるが、ランプが破損している場合は破損したランプのガラス片等も袋２５の中に収容される。【選択図】図１０
2009080228.tif 000002
【特許請求の範囲】
【請求項１】
光源としてのランプと、前記ランプを保持するランプ保持機構とを備え、前記ランプ保持機構と一体で前記ランプの交換が可能な投写型表示装置であって、
前記投写型表示装置は、
前記ランプ保持機構を収容するランプ取付開口部の側面から突出するように設けられた固定ツメを有し、前記ランプ保持機構を前記ランプ取付開口部内に収容した状態では前記固定ツメが前記ランプ保持機構に係合し、前記ランプ保持機構を係止する係止手段を備え、
前記ランプ取付開口にランプ交換用工具を取り付けることによって前記係止手段による前記ランプ保持機構の係止が解除される、投写型表示装置。
【請求項２】
前記固定ツメは、
前記ランプ取付開口部の前記側面から突出する３角形の形状を有し、前記ランプ取付開口部の底部側の辺が水平面を有し、他の一辺が前記ランプ取付開口部の底部に向かう方向に広がった斜面を有し、
前記固定ツメが突出する前記側面は、その面に力を受けるとその力の方向に揺動するように、前記ランプ取付開口部の深さ方向に沿った切れ込みを有する、請求項１記載の投写型表示装置。
【請求項３】
前記ランプ保持機構は、その最上部が、前記ランプ取付開口部の平面視形状と合致する形状を有し、
前記ランプ保持機構を前記ランプ取付開口部に収容した状態では、前記最上部が前記ランプ取付開口部を完全に塞ぐ、請求項１記載の投写型表示装置。
【請求項４】
前記ランプ保持機構は、
前記最上部が、前記ランプ取付開口部の平面視形状と合致する形状のカバープレートで構成され、
前記カバープレートの下部にランプ保持機構本体が接合され、
前記ランプ保持機構を前記ランプ取付開口部に収容した状態では、前記カバープレートが前記ランプ取付開口部を完全に塞ぐ、請求項３記載の投写型表示装置。
【請求項５】
光源としてのランプと、前記ランプを保持するランプ保持機構とを備え、前記ランプ保持機構と一体で前記ランプの交換が可能な投写型表示装置であって、
前記ランプ保持機構は、その最上部が、前記ランプ取付開口部の平面視形状と合致する形状を有し、
前記ランプ保持機構を前記ランプ取付開口部に収容した状態では、前記最上部が前記ランプ取付開口部を完全に塞ぐ、投写型表示装置。
【請求項６】
請求項１記載の投写型表示装置に使用される前記ランプ交換用工具であって、
前記ランプ交換用工具は、
前記ランプ交換用工具を前記ランプ取付開口部に取り付けると、前記固定ツメに接触して前記固定ツメを前記ランプ保持機構から遠ざける方向に付勢して、前記ランプ保持機構の係止を解除する固定ツメ解除用リブと、
前記ランプ交換用工具を前記ランプ取付開口部に取り付けた状態で、前記ランプ取付開口部を覆う袋とを備える、ランプ交換用工具。
【発明の詳細な説明】
【技術分野】
【０００１】
本発明は投写型表示装置およびランプ交換用工具に関し、特に、光源としてランプを用いる投写型表示装置およびランプ交換用工具に関する。
【背景技術】
【０００２】
光源としてランプを用いる投写型表示装置（以下、プロジェクタと呼称）においては、従来は光源として使用されるランプは出力が小さく密閉式であるものが主流であった。しかし、現在はプロジェクタ本体の小型化および高輝度化にともない高出力で小型だが冷却効率の高い開放型のランプが主流である。そのため、ランプが割れたような場合には、ガラス片等がプロジェクタ内に飛散する。この状態で破損したランプの交換を行えば、ガラス片等がプロジェクタ内から零れ落ちることになる。そこで、プロジェクタ内から零れ落ちたガラス片等が作業者等に接触することを防止する対策が必要となっている。
【０００３】
特に高輝度型のプロジェクタは、天井に金具で固定された状態（以下、天吊り状態と呼称）で使用される場合が多く、このような天吊り状態で使用されるプロジェクタはランプ交換の利便性の観点から、天吊り状態のままランプ交換が行えるように、金具等でランプの交換口が塞がれることのないプロジェクタの側面または背面からランプ交換が可能な設計となっている。
【０００４】
上記プロジェクタにおいて、天吊り状態のまま破損したランプの交換作業を行う場合、破損したランプをランプ保持機構（以下、ランプユニットと呼称）と一体でプロジェクタから引き出す際、乃至抜き取ったランプユニットを移動させる際に、破損したランプのガラス片等が零れ落ちて、作業者等に接触する可能性があった。
【０００５】
このような問題を防止するため、例えば、特許文献１においては、ランプ冷却のための通風口を開閉式とし、ランプ交換時にランプユニットをプロジェクタから引き出す際、自動的に通風口を閉鎖してガラス片等をランプユニット内部に留めることでガラス片等が零れ落ちることを防止する技術（以後、従来技術１と呼称）を開示している。
【０００６】
また、特許文献２においては、ランプ冷却のための通風口を開閉式とし、ランプ破損時の空気圧により通風口を閉鎖してガラス片等をランプユニット内部に留めることでガラス片等が零れ落ちることを防止する技術（以後、従来技術２と呼称）を開示している。
【０００７】
また、従来のプロジェクタにおいては、天吊り状態のまま破損したランプの交換作業を行う場合、ランプ交換時にガラス片等の落下物を受け取るゴムの袋をランプの交換口を覆うように吊り下げ、袋越しにランプユニットを交換する技術（以後、従来技術３と呼称）を採用しているものもある。
【０００８】
【特許文献１】特開２００２−１０７８２３号公報（第７、第８頁、図８〜１０）
【特許文献２】特開２００２−３５２６０４号公報（第５頁、図１）
【発明の開示】
【発明が解決しようとする課題】
【０００９】
上述のように、従来技術１のプロジェクタでは、ランプ冷却のための通風口をランプユニット挿抜時に開閉する構造であるため、ランプが破損した際、ガラス片等がランプユニット内部に留まらず、ランプユニット外面に多数付着した状態となる。このような状態のままランプユニットを取り外すと、ランプユニット外面に付着したガラス片等が剥離して零れ落ちる可能性がある。
【００１０】
また、従来技術２のプロジェクタでは、ランプが破損した際のガラス片等は音速に近い速さで飛散するため、ランプ破損時の空気圧により通風口を閉鎖するような機械的な構造では、ガラス片等の飛散に追従できず、ガラス片等の一部または多くをランプユニット内部に留めることができず、ガラス片等がランプユニット外部に放出されて、ランプユニット外面に多数付着した状態となる。このような状態のままランプユニットを引き出せば、ランプユニット外面に付着したガラス片等が剥離して零れ落ちる可能性がある。
【００１１】
加えて従来技術１および２のいずれの構造においても、ランプ冷却のための通風口を機構部品で覆って密閉状態にする必要がある。そのため、機構的に非常に複雑な構造を取る必要があるのみならず、プロジェクタの小型化および冷却効率の向上に反する制約が加わるという課題があった。
【００１２】
また、従来技術３では、ゴムの袋をランプの交換口を覆うように吊り下げることで、ランプユニット外面に付着したガラス片等が剥離した場合でも、当該ガラス片等を袋で受け取ることができ、作業者等に接触することを防止できるが、袋が使用されない場合は効果がないという課題があった。
【００１３】
この発明は、上記のような問題点を解決するためになされたもので、ランプユニットに保持された状態で破損したランプを交換する場合に、ガラス片等が零れ落ちることを確実に防止した投写型表示装置と、そのためのランプ交換用工具を提供することを目的とする。
【課題を解決するための手段】
【００１４】
本発明に係る請求項１記載の投写型表示装置は、光源としてのランプと、前記ランプを保持するランプ保持機構とを備え、前記ランプ保持機構と一体で前記ランプの交換が可能な投写型表示装置であって、前記投写型表示装置は、前記ランプ保持機構を収容するランプ取付開口部の側面から突出するように設けられた固定ツメを有し、前記ランプ保持機構を前記ランプ取付開口部内に収容した状態では前記固定ツメが前記ランプ保持機構に係合し、前記ランプ保持機構を係止する係止手段を備え、前記ランプ取付開口にランプ交換用工具を取り付けることによって前記係止手段による前記ランプ保持機構の係止が解除される。
【００１５】
本発明に係る請求項６記載のランプ交換用工具は、ランプ交換用工具をランプ取付開口部に取り付けると、固定ツメに接触して固定ツメをランプ保持機構から遠ざける方向に付勢して、ランプ保持機構の係止を解除する固定ツメ解除用リブと、ランプ交換用工具をランプ取付開口部に取り付けた状態で、ランプ取付開口部を覆う袋とを備えている。
【発明の効果】
【００１６】
本発明に係る請求項１記載の投写型表示装置によれば、ランプ保持機構を係止する係止手段を備え、ランプ取付開口にランプ交換用工具を取り付けることによって、係止手段によるランプ保持機構の係止が解除されるので、投写型表示装置を天吊り状態で使用した場合、破損したランプをランプ保持機構と一体で取り外す場合に、ランプ交換用工具に破損したランプのガラス片等を受け止める機能を持たせることで、作業者等に破損したランプのガラス片等が接触することを防止できる。
【００１７】
本発明に係る請求項６記載のランプ交換用工具によれば、ランプ交換用工具をランプ取付開口部に取り付けた状態で、ランプ取付開口部を覆う袋を備えるので、投写型表示装置を天吊り状態で使用した場合、破損したランプをランプ保持機構と一体で取り外す場合に、破損したランプのガラス片等が袋に収容されるので、作業者等に破損したランプのガラス片等が接触することを防止できる。
【発明を実施するための最良の形態】
【００１８】
＜実施の形態＞
図１は、本発明に係る実施の形態の投射型プロジェクタ１の外観を示す斜視図である。
図１に示すように、投射型プロジェクタ１は箱状の筐体の一側面にレンズを含む投射部９０が露出し、投射部９０の横にランプ保持機構としてのランプユニット（図示せず）が配置され、当該ランプユニットを覆うようにランプカバー２が取り付けられている。ランプユニットは、光源としてのランプを含み、ランプユニットと一体でランプの交換が可能である。ランプカバー２は、投射型プロジェクタ１の筐体上面の一部をなし、筐体の投射部９０が露出する側面に対して垂直な一側面に露出するランプカバー取付ネジ３を緩め、投射部９０とは反対側にスライドさせることで取り外すことができる。図２には、ランプカバー２を矢示Ａ方向にスライドさせることでランプカバー２を取り外す途中の状態を示している。
【００１９】
ランプカバー２の端面からは、ランプカバー取付リブ２ａが突出し、ランプカバー取付リブ２ａを厚み方向に貫通するようにランプカバー取付ネジ３が挿入されている。ランプカバー取付ネジ３は、締め付け時にはネジ頭がランプカバー取付リブ２ａ内に収納され、緩めた場合にはランプカバー取付リブ２ａ内から突出するが、ネジ部先端には脱落防止用のワッシャー３ａが取り付けられているので、ランプカバー取付ネジ３がランプカバー取付リブ２ａから脱落することはない。
【００２０】
図３に、投射型プロジェクタ１からランプカバー２を取り外した状態を示す。
図３に示すように、ランプカバー２を取り外すとランプ取付開口部１６の内部に配設されたランプユニット４が見える。なお、ランプカバー２の下に、さらにカバーが設けられるが、ここでは図示および説明を省略する。
【００２１】
ランプユニット４は、最上部がランプカバープレート５となっており、ランプカバープレート５の上面には、ランプユニット取付６、７および８が設けられるとともに、可動式の取っ手１１が設けられており、ランプユニット４収納時は、取っ手１１をランプカバープレート５の上面と平行になるように倒し、ランプユニット４を取り外す場合には当該取っ手１１をランプカバープレート５の上面に起こして使用する。
【００２２】
ランプカバープレート５の平面視形状は略長方形であり、その２つの短辺部のうち投射部９０側の短辺部には切り欠き１０が、その反対側の短辺部には切り欠き９（図４）が設けられている。
【００２３】
次に、図４を用いて、ランプユニット４の構成について説明する。
図４の（ａ）部には、ランプユニット本体４ａとランプカバープレート５とを分離した状態を示し、図４の（ａ）部には、両者を組み合わせた状態を示している。
【００２４】
図４の（ａ）部に示すように、ランプユニット４は、ランプユニット本体４ａとランプカバープレート５とで構成され、ランプカバープレート５はランプユニット本体４ａの上部に接合され、両者は一体となっている。
【００２５】
ランプユニット取付穴６には、取っ手１１とは反対側に延在する中空円筒６１が取り付けられ、ランプユニット本体４ａと組み合わせた場合には、ランプユニット取付ネジ１２が、中空円筒６１中に挿入され、その底部にあるリブ６２に設けられた貫通孔を介してランプ取付開口部１６（図３）内に設けられたネジ穴に螺合してランプユニット４を固定することができる。
【００２６】
また、ランプカバープレート５とランプユニット本体４ａとを組み合わせると、ランプカバープレート５の投射部９０側の短辺部に設けたランプユニット取付穴７および８は、ランプユニット本体４ａに設けられたパッド７１および８１と対面することになる。そして、ランプユニット取付ネジ１３および１４を、それぞれ、ランプユニット取付穴７および８に挿入すると、パッド７１および８１に設けられた貫通孔を介して、ランプ取付開口部１６内に設けられたネジ穴に螺合してランプユニット４を固定することができる。
【００２７】
なお、ランプユニット取付ネジ１２〜１４のネジ部先端には、脱落防止用のワッシャー１５が取り付けられているので、ランプユニット取付ネジ１２〜１４を緩めても、ランプユニット取付ネジ１２〜１４が、ランプユニット４から脱落することはない。
【００２８】
図５は、図３と同様に投射型プロジェクタ１からランプカバー２を取り外した状態を示しており、この図を用いてランプユニット４の取り外し手順について説明する。
【００２９】
図５に示すように  ランプカバープレート５はランプ取付開口部１６を完全に塞ぐ形状および大きさで構成されているので、天吊り状態で図５の状態になった場合でも破損したランプのガラス片等が零れ落ちることが防止される。
【００３０】
ランプユニット４を取り外すためにはランプカバープレート５に設けられたランプユニット取付６〜８を通してネジ回し等を挿入し、それぞれランプユニット取付ネジ１２〜１４を緩めるが、これだけではランプユニット４は取り外すことはできない。以下、本発明の特徴の１つでもある、ランプユニット４を固定する構成について説明する。
【００３１】
図６は、ランプユニット４を取り付けた状態でのランプ取付開口部１６を示す斜視図である。なお、以下の図においては、説明を容易にするためにランプユニット４最上部のランプカバープレート５を省略して示している。
【００３２】
図６に示すようにランプ取付開口部１６の平面視形状は略長方形であり、投射部９０側の側面には、深さ方向に延在する溝１８１が設けられ、反対側の側面には溝１７１が設けられている。
【００３３】
溝１８１の下部にはランプユニット固定ツメ１８が溝１８１の底面から突出するように配設され、同様に溝１７１においてもランプユニット固定ツメ１７（図示されず）が配設されランプユニット本体４ａは、ランプユニット固定ツメ１７および１８（係止手段）により押さえられて係止されている。なお、ランプカバープレート５は省略しているが、図４を用いて説明したように、ランプカバープレート５には切り欠き１０および９が設けられており、切り欠き１０はランプユニット固定ツメ１８がランプユニット本体４ａに係合する部分に設けられ、切り欠き９はランプユニット固定ツメ１７がランプユニット本体４ａに係合する部分に設けられている。
【００３４】
ランプユニット固定ツメ１８を例に採って説明すると、その形状は、ランプ取付開口部１６の底部側の辺が水平面を有し、他の一辺がランプ取付開口部１６の底部に向かう方向に広がった固定ツメ斜面１８ｂを有した３角形状をなしている。
【００３５】
ランプユニット４を取り付ける場合、ランプユニット本体４ａが下側となるように矢示Ａの方向に挿入すると、ランプユニット本体４ａに設けられたランプユニット本体平面４ｂがランプユニット取付開口部１６に設けられた溝１８１の底面でもある固定ツメ平面１８ａに沿って進む。
【００３６】
なお、溝１８１の底面でもある固定ツメ平面１８ａは、溝のコーナー部にランプ取付開口部の深さ方向に沿った切れ込みを有し、平面に対して力を受けると、その力の方向に揺動する構成となっている。このため、ランプユニット固定ツメ１８によるランプユニット本体４ａの係止が容易にできるとともに、後に説明するランプ交換用工具１９（図９）による係止の解除が容易となる。
【００３７】
ランプユニット本体平面４ｂが固定ツメ斜面１８ｂに達すると矢示Ｂ方向にランプユニット固定ツメ１８を押し上げつつ進み、固定ツメ斜面１８ｂを越えると、図に示すようにランプユニット固定ツメ１８の底面下にランプユニット本体４ａの一部が接触し、ランプユニット固定ツメ１８により押さえられて動きが規制され、ランプユニット本体４ａはランプユニット取付開口部１６より引き出せない状態となる。
【００３８】
ランプユニット固定ツメ１７も同様の構成を有し、ランプユニット本体４ａはランプユニット固定ツメ１７によっても押さえられて、ランプユニット取付開口部１６より引き出せない状態となる。
【００３９】
図７は、ランプユニット固定ツメ１７を示す図であり、ランプ取付開口部１６の側面に形成された溝１７１の底面でもある固定ツメ平面１７ａと、ランプ取付開口部１６の底に向かう方向に広がった固定ツメ斜面１７ｂを有している。
【００４０】
図８は、ランプユニット固定ツメ１８を示す図であり、ランプ取付開口部１６の側面に形成された溝１８１の底面でもある固定ツメ平面１８ａと、ランプ取付開口部１６の底に向かう方向に広がった固定ツメ斜面１８ｂを有している。
【００４１】
次に、図９〜図１３を用いて、ランプユニット４の取り外し方法について説明する。以下の図においては、説明を容易にするためにランプユニット４最上部のランプカバープレート５を省略して示している。
【００４２】
図９は、本発明に係るランプ交換用工具１９を示す斜視図である。
図９に示すようにランプ交換用工具１９は、円環状の第１フレーム１９１と、第１フレームの内周に収まるとともにランプ取付開口部１６の平面視形状に略合致する矩形環状の第２フレーム１９２と、第１フレームに取り付けられ、破損したランプのガラス片等が零れ落ちることを防止するための袋２５と、第２フレーム１９２の対向する２辺に取り付けられたランプユニット固定ツメ解除用リブ２１および２２と、第１フレームと第２フレームとの間にランプユニット固定ツメ解除用リブ２１に向かい合うように取り付けられ、端部がランプカバー取付リブ２ａ（図１）と同形状に作られたランプ交換用工具取付リブ２０とを有し、ランプ交換用工具取付リブ２０の端部には、ランプ交換用工具取付ネジ２３が、脱落防止のための脱落防止用ワッシャー２４とともに取り付けられている。
【００４３】
図１０は、ランプ交換用工具１９を用いて、ランプユニット４の固定を解除する仕組みについて説明する図である。このとき、図５を用いて説明したようにランプユニット４を取り外すために、ランプカバープレート５に設けられたランプユニット取付穴６〜８を通して、それぞれランプユニット取付ネジ１２〜１４を緩めた状態であるが、ランプユニット本体４ａはランプユニット固定ツメ１７および１８により係止されて、動きが規制された状態である。
【００４４】
図１０に示すように、ランプユニット固定ツメ解除用リブ２１および２２がランプ取付開口部１６の側を向くようにランプ取付開口部１６上に配置し、ランプユニット固定ツメ解除用リブ２１および２２を、それぞれ溝１７１および１８１に挿入する。このとき、ランプ交換用工具取付リブ２０の端部が、ランプカバー取付リブ収納部２ｂに収納されるようにする。
【００４５】
投射型プロジェクタ１にランプ交換用工具１９を取り付けた場合のランプユニット固定ツメ１７および１８によるランプユニット４の係止解除について、ランプユニット固定ツメ解除用リブ２２の動きを例に採って説明する。
【００４６】
図１０に示すようにランプユニット本体４ａは、ランプユニット固定ツメ１８により押さえられているためランプユニット本体４ａはランプユニット取付開口部１６より引き出せない状態となっている。
【００４７】
ランプ交換用工具１９を取り付け、図の矢示Ａ方向に進むように溝１８１内にランプユニット固定ツメ解除用リブ２２を挿入すると、溝１８１の底面でもあるランプユニット固定ツメ１８の固定ツメ平面１８ａに沿って進む。
【００４８】
そして、ランプユニット固定ツメ解除用リブ２２がランプユニット固定ツメ１８の固定ツメ斜面１８ｂに達すると、図の矢示Ｂ方向（ランプユニット固定ツメ１８をランプユニット本体４ａから遠ざける方向）にランプユニット固定ツメ１８を付勢し、ランプユニット固定ツメ１８によるランプユニット本体４ａの係止が解除される。同様に、ランプユニット固定ツメ解除用リブ２１によって、ランプユニット固定ツメ１７によるランプユニット本体４ａの係止も解除され、ランプユニット本体４ａはランプユニット取付開口部１６より引き出せる状態となる。
【００４９】
図１１は、投射型プロジェクタ１にランプ交換用工具１９を装着した状態を示す斜視図である。
【００５０】
図１１に示すように、投射型プロジェクタ１は、天吊り状態で設置されている場合はランプ交換用工具１９の落下が考えられるため、ランプ交換用工具１９はランプ交換用工具取付リブ２０に取り付けられたランプ交換用工具取付ネジ２３により、投射型プロジェクタ１側面のランプカバー取付リブ収納部２ｂ（図１０）にネジ止めする。
【００５１】
図１２は、机上の投射型プロジェクタ１に対してランプ交換用工具１９を用いてランプユニット４の取り外しをする状態を示す図である。
【００５２】
図１０を用いて説明したランプユニット本体４ａの係止解除を行った後、図１２に示すように、ランプ交換用工具１９を投射型プロジェクタ１に取り付けているランプ交換用工具取付ネジ２３を緩め、袋２５越しにランプカバープレート５の上面に設けられた取っ手１１を持ち、ランプユニット４をランプ交換用工具１９と共に持ち上げてランプユニット４をランプ取付開口部１６より取り外す。
【００５３】
図１３は、天吊り状態での投射型プロジェクタ１に対してランプ交換用工具１９を用いてランプユニット４の取り外しをする状態を示す図である。
【００５４】
この場合、図１０を用いて説明したランプユニット本体４ａの係止解除を行うと、ランプユニット４が袋２５の中に落下してくる。このとき、ランプが破損している場合は破損したランプのガラス片等も袋２５の中に収容され、ガラス片等が飛散するのを防止することができる。
【００５５】
ランプユニット４およびガラス片等を収容した後はランプ交換用工具取付ネジ２３を緩め、ランプ交換用工具１９をランプ取付開口部１６より取り外す。
【００５６】
以上説明したように、本発明に係る投射型プロジェクタにおいては、ランプユニット４の動きを規制する規制手段として、ランプユニット取付ネジ１２〜１４によるネジ止めの他に、ランプユニット取付開口部１６に設けたランプユニット固定ツメ１７および１８を備えている。
【００５７】
このため、ランプユニット取付ネジ１２〜１４を緩めただけでは、ランプユニット４を取り外すことはできず、係止解除のためのランプユニット固定ツメ解除用リブ２１および２２を有したランプ交換用工具１９が必要となる。
【００５８】
そして、ランプ交換用工具１９には、ランプが破損した場合に生じたガラス片等がランプユニット４交換時に零れ落ちた場合でも、それを受け止める袋２５を具備しているので、投射型プロジェクタ１を天吊り状態で使用する場合でも、ガラス片等が作業者等に接触することを防止できる。また、ランプユニット４の交換にはランプ交換用工具１９が必要となるので、ガラス片等の飛散防止のための袋等を付け忘れると言った事態を防止することができる。
【００５９】
また、ランプユニット４はランプユニット本体４ａとランプカバープレート５とで構成されておりランプカバープレート５はランプ取付開口部１６を完全に塞ぐ大きさで構成されているので、投射型プロジェクタ１が天吊り状態でランプカバー２を取り外した場合でも、破損したランプのガラス片等が零れ落ちることを防止できる。
【００６０】
なお、ランプ交換用工具１９は、ランプユニット４の係止解除手段としての機能と、ガラス片等の飛散防止手段としての機能を併せ持つが、袋２５はランプユニット４を受け止めるための受止手段としての機能も有する。
【００６１】
また、ランプユニット４の交換にはランプ交換用工具１９が必要となるため、現在、市場で問題となっている擬似ランプ交換オプション部品に対しても使用を防止する効果がある。
【００６２】
＜変形例１＞
以上説明した本発明に係る実施の形態においては、ランプユニット４の動きを規制する規制手段として、ランプユニット取付開口部１６に設けたランプユニット固定ツメ１７および１８を設け、ランプユニット４の係止解除手段としてランプ交換用工具１９を用いる例を示したが、これらを設けず、ランプカバープレート５によりガラス片等を受け止め、飛散を防止する構成としても良い。
【００６３】
この場合、構造が簡略化されるので、投射型表示装置のコストの低減を図ることができる。
【００６４】
＜変形例２＞
以上説明した本発明に係る実施の形態においては、ランプユニット本体４ａとランプカバープレート５とを別部品として構成する例を示したが、両者一体となったランプユニットを構成しても良い。この場合、部品点数を削減して、投射型表示装置のコストの低減を図ることができる。
【産業上の利用可能性】
【００６５】
本発明の活用例として、天井に設置の投射型表示装置のみでなく天井に設置の照明装置の光源の交換にも適用できる。
【図面の簡単な説明】
【００６６】
【図１】本発明に係る実施の形態のプロジェクタの外観を示す図である。
【図２】本発明に係る実施の形態のプロジェクタのランプカバーの取り外し要領を示す図である。
【図３】本発明に係る実施の形態のプロジェクタのランプカバーを取り外した状態を示す図である。
【図４】本発明に係る実施の形態のプロジェクタのランプユニットの構成を示す図である。
【図５】本発明に係る実施の形態のプロジェクタのランプユニット取付ネジの緩め方を示す図である。
【図６】本発明に係る実施の形態のプロジェクタのランプユニットを係止する構造を示す図である。
【図７】本発明に係る実施の形態のプロジェクタのランプユニット固定ツメを示す図である。
【図８】本発明に係る実施の形態のプロジェクタのランプユニット固定ツメを示す図である。
【図９】本発明に係る実施の形態のランプ交換用工具を示す図である。
【図１０】本発明に係る実施の形態のランプ交換用工具によりランプユニットの係止を解除する構造を示す図である。
【図１１】本発明に係る実施の形態のランプ交換用工具の装着状態を示す図である。
【図１２】本発明に係る実施の形態のランプ交換用工具を机上でのランプ交換に使用する状態を示す図である。
【図１３】本発明に係る実施の形態のランプ交換用工具を天吊り状態でのランプ交換に使用する状態を示す図である。
【符号の説明】
【００６７】
１  投射型プロジェクタ、２  ランプカバー、４  ランプユニット、５  ランプカバープレート、１６  ランプユニット取付開口部、１７，１８  ランプユニット固定ツメ、１９  ランプ交換用工具、２１，２２  ランプユニット固定ツメ解除用リブ、２５  袋。
【図１】
2009080228.tif 000003
【図２】
2009080228.tif 000004
【図３】
2009080228.tif 000005
【図４】
2009080228.tif 000006
【図５】
2009080228.tif 000007
【図６】
2009080228.tif 000008
【図７】
2009080228.tif 000009
【図８】
2009080228.tif 000010
【図９】
2009080228.tif 000011
【図１０】
2009080228.tif 000012
【図１１】
2009080228.tif 000013
【図１２】
2009080228.tif 000014
【図１３】
2009080228.tif 000015